(57)【要約】【解決手段】本発明は、たばこ加工産業の多重セグメントフィルターを製造するための方法であって、その際、フィルターセグメント１、７が、フィルターセグメントの１つのグループに引き渡される様式の上記方法に関する。この方法は、フィルターセグメント１内へと、フィルターセグメントの１つのグループへのこれらフィルターセグメントの引き渡しの前に、媒体３が導入されることによって改良される。本発明は、更に、たばこ加工産業の多重セグメントフィルター製造機械のモジュールであって、その際、フィルターセグメントがフィルターセグメントの１つのグループに引き渡し可能である、上記たばこ加工産業の多重セグメントフィルター製造機械のモジュール、並びに、たばこ加工産業の多重セグメントフィルター製造機械に関する。
2005537814.tif 000002
【特許請求の範囲】
【請求項１】
たばこ加工産業の多重セグメントフィルターを製造するための方法であって、その際、
フィルターセグメント（１、７）が、フィルターセグメントの１つのグループに引き渡される様式の上記方法において、
フィルターセグメント（１、７）内へと、フィルターセグメントの１つのグループへのこれらフィルターセグメントの引き渡しの前に、媒体（３）が導入されることを特徴とする方法。
【請求項２】
フィルターロッド内へと、媒体（３）が導入され、且つ、後続のステップにおいて、このフィルターロッドがフィルターセグメント（１）へと切断されることを特徴とする請求項１の上位概念に従う方法。
【請求項３】
媒体（３）は、フィルターロッドまたはフィルターセグメント（１、７）の移送の間じゅう、特に搬送ドラム、または機能ドラム（１８）の上で導入されることを特徴とする請求項１または２に記載の方法。
【請求項４】
媒体（３）の導入の前に、これらフィルターロッド、またはフィルターセグメント（１、７）は、固持されることを特徴とする請求項１から３のいずれか一つに記載の方法。
【請求項５】
予め設定された媒体（３）の量が導入されることを特徴とする請求項１から４のいずれか一つに記載の方法。
【請求項６】
媒体（３）は、導入器具（５）、有利には噴霧マンドレル（５）を用いて、フィルターセグメント（１、７）、またはフィルターロッドの内部へと導入されることを特徴とする請求項１から５のいずれか一つに記載の方法。
【請求項７】
媒体（３）は、導入器具（２）、有利には噴霧ノズル（２）を用いて、外側から、フィルターセグメント（１、７）、またはフィルターロッドの内部へと導入されることを特徴とする請求項１から５のいずれか一つに記載の方法。
【請求項８】
媒体（３）は、フィルターセグメント（１、７）、またはフィルターロッドの長手方向に対して長手軸線方向に平行に導入されることを特徴とする請求項１から７のいずれか一つに記載の方法。
【請求項９】
媒体（３）は、特に多重フィルターセグメント、または多重フィルターロッドの、少なくとも１つの中空チャンバー内へと導入されることを特徴とする請求項１から８のいずれか一つに記載の方法。
【請求項１０】
たばこ加工産業の多重セグメントフィルター製造機械のモジュール（１０）であって、その際、
フィルターセグメント（１、７）が、フィルターセグメントの１つのグループに引き渡し可能である様式の上記モジュールにおいて、
フィルターセグメント（１、７）内へと媒体（３）を導入するための装置が設けられていることを特徴とするモジュール（１０）。
【請求項１１】
フィルターロッド内へと媒体（３）を導入するための装置、および、フィルターセグメント（１、７）にこれらフィルターロットを切断するための切断装置が設けられていることを特徴とする請求項１０の上位概念に従うモジュール（１０）。
【請求項１２】
装置は、搬送手段、特に搬送ドラムまたは機能ドラム（１８）の上で構成されていることを特徴とする請求項１０または１１に記載のモジュール１０。
【請求項１３】
フィルターロッド、またはフィルターセグメント（１、７）のための保持要素（４）が形成されていることを特徴とする請求項１０から１２のいずれか一つに記載のモジュール（１０）。
【請求項１４】
装置は、導入機器、有利には、噴霧ノズル（２）または噴霧マンドレル（５）を有していることを特徴とする請求項１０から１３のいずれか一つに記載のモジュール（１０）。
【請求項１５】
導入機器は、圧力でもって、有利には圧縮空気源またはピストンを用いて付勢可能であるように構成されていることを特徴とする請求項１４に記載のモジュール（１０）。
【請求項１６】
媒体（３）のための配量装置が設けられていることを特徴とする請求項１０から１５のいずれか一つに記載のモジュール（１０）。
【請求項１７】
請求項１０から１６のいずれか一つに記載の装置を有する、たばこ加工産業の多重セグメントフィルター製造機械。
【発明の詳細な説明】
【技術分野】
【０００１】
本発明は、たばこ加工産業の多重セグメントフィルターを製造するための方法であって、その際、フィルターセグメントが、フィルターセグメントの１つのグループに引き渡される（zugestellt）様式の上記方法に関する。
本発明は、更に、たばこ加工産業の多重セグメントフィルター製造機械のモジュールであって、その際、フィルターセグメントがフィルターセグメントの１つのグループに引き渡し可能である、上記たばこ加工産業の多重セグメントフィルター製造機械のモジュール、並びに、
たばこ加工産業の多重セグメントフィルター製造機械に関する。
【背景技術】
【０００２】
ドイツ連邦共和国特許第１００  ５２  ４０９号明細書（特許文献１）において、喫煙品物内へと、流動可能な媒体を導入するための装置が開示されている。この装置は、ただし、ただテスト作業および実験室作業のための個別の処理内における媒体の注入だけに適している。この場合、喫煙品物、特にシガレットは、保持装置内において移送され、且つ収納され、その際、この保持装置が、長手方向軸線を中心として回転可能に構成されており、従って、媒体、例えば芳香料、または芳香液体の導入が、このシガレットの回転のもとで行われる。この開示された装置は、ただ喫煙品物の個別の処理内においてだけ使用可能であり、且つ、（大量）生産における喫煙品物の製造のためには適していない。
【０００３】
たばこ加工産業において、実際上、例えば種々の材料から成るような異なるセグメントから成る、多重セグメントフィルターを製造する願望が存在している。これら材料は、例えば、セルロースアセテート、紙、フリース、粒状物質、別個の要素、中空円筒体、または中空チャンバー、および、カプセル、およびその種の他の物である。本発明の領域内において同様に「多重フィルター」という概念を意味する、この様式の多重セグメントフィルターは、フィルターセグメントのグループの形成の後、例えば、連続体プロセス内において、例えば紙のような被覆材料でもって包み込まれ、且つ、更なる処理がされるために、次いで２倍、４倍、または６倍の長さのフィルターロッドに細分される。
【０００４】
ドイツ連邦共和国特許出願第１０１  ５５  ２９２号明細書（特許文献２）から、連続体製造プロセス内における、たばこ加工産業の多重セグメントフィルターを製造するために、フィルターセグメントのグループを組み合わせるための装置が公知であり、その際、多重セグメントフィルター毎に、少なくとも２つの異なる様式のフィルターセグメントが設けられており、且つ、その際、この装置が、複数の自立的な機能ユニットに分割可能である。
【０００５】
上記のことによって、多重セグメントフィルターの製造の際の大きな可変性が可能となる。
【特許文献１】ドイツ連邦共和国特許第１００  ５２  ４０９号明細書
【特許文献２】ドイツ連邦共和国特許出願第１０１  ５５  ２９２号明細書
【発明の開示】
【発明が解決しようとする課題】
【０００６】
従って、本発明の課題は、簡単な方法で可変的に調製可能および製造可能であり、その際、機器に関する経費が極めて僅かに保持される、多重セグメントフィルターのためのフィルターセグメントを提供することである。
【課題を解決するための手段】
【０００７】
この課題は、フィルターセグメント内へと、フィルターセグメントのグループへのこれらフィルターセグメントの引き渡しの前に、媒体が導入されることによって改良されている、冒頭に記載した様式の方法を用いて解決される。多重セグメントフィルターの継続する製造の間じゅう、物質が、これらフィルターセグメント内へと注入され、これらフィルターセグメントは、後続のステップにおいて、１つの多重セグメントフィルターの組み立てのために使用される。これら物質の付加によって、これらフィルターセグメントが、所定の且つ所望の特性を備え、従って、これらフィルターセグメントは、容易に、製造された多重セグメントフィルターに対する諸要件に適合され得る。
【発明の効果】
【０００８】
この課題の選択的な解決策は、冒頭に記載した様式の方法の場合、先ず第一に、フィルターロッド内へと、媒体が導入され、且つ、後続のステップにおいて、このフィルターロッドがフィルターセグメントへと切断されることにある。この場合、これらフィルターロッドは、例えば１つのモジュールのマガジンから取り出され、且つ、これらフィルターロッドの分割の前に、多数のセグメント内において、物質を有している。このことは、多重セグメントフィルターの継続する製造の間じゅうにも行われる。
【０００９】
特に、媒体は、フィルターロッドまたはフィルターセグメントの移送の間じゅう、特に搬送ドラム、または機能ドラムの上で導入される。このことによって、フィルター製造のための継続する作業は、阻害されない。
【００１０】
物質を、合目的に、フィルターセグメント、もしくはフィルターロッド内へと導入するために、媒体の導入の前に、これらフィルターロッド、またはフィルターセグメントは、固持、即ち固定される。このことによって、フィルターセグメント、またはフィルターロッドの滑り位置ずれは防止される。
【００１１】
更に有利な実施形態は、予め設定された媒体の量が、フィルターロッド、またはフィルターセグメント内へと導入されることにある。精確な配量によって、これらフィルターセグメントは、これらフィルターセグメントに対する諸要件に相応して製造され、このことによって、同時に、この媒体の効率の良い消費が達成される。例えば、物質として、活性炭粉体、ビタミン、味覚物質または芳香物質、または、ゼオライトが、例えばセルロースアセテート、ポリポロピレン、または紙から成るこれらフィルターセグメント内へと導入される。
【００１２】
媒体が、導入器具、有利には噴霧マンドレルを用いて、フィルターセグメント、またはフィルターロッドの内部へと導入される場合、物質の良好な分配が、これらフィルターセグメントの内部において与えられる。更に、この導入器具は、精密に位置決めされ、従って、例えば、フィルターセグメントのただ所定の領域だけが、媒体でもって吹き込まれる。例えば、このことによって、フィルターセグメントの中空チャンバーが、物質を有していることができる。
【００１３】
本発明の選択的な実施形態において、媒体は、導入器具、有利には噴霧ノズルを用いて、外側から、フィルターセグメント、またはフィルターロッドの内部へと導入され、従って、ただフィルターセグメントの縁部領域だけが、この媒体を有している。
【００１４】
媒体が、フィルターセグメント、またはフィルターロッドの長手方向に対して長手軸線方向に平行に導入される場合、フィルターセグメントの被覆は損傷されず、且つ無傷のままである。
【００１５】
有利には、媒体は、特に多重フィルターセグメント、または多重フィルターロッドの、少なくとも１つの中空チャンバー内へと導入される。
【００１６】
それに加えて、この課題は、フィルターセグメント内へと媒体を導入するための装置が設けられていることによって改良されている、冒頭に記載した様式のモジュールを用いて解決される。
【００１７】
冒頭に記載した様式のモジュールを用いてのこの課題の選択的な解決策に従い、フィルターロッド内へと媒体を導入するための装置、および、フィルターセグメントにこれらフィルターロットを切断するための切断装置が設けられている。
【００１８】
特に、更なる構成において、この装置は、搬送手段、特に搬送ドラムまたは機能ドラムの上で構成されている。
【００１９】
有利な実施形態に従い、フィルターロッド、またはフィルターセグメントのための保持要素が形成されており、従って、これらフィルターロッド、またはフィルターセグメントは、媒体の注入の前に固持される。
【００２０】
更に、本発明の１つの実施形態の場合、装置が、導入機器、有利には、噴霧ノズルまたは噴霧マンドレルを有している。
【００２１】
導入機器が、圧力でもって、有利には圧縮空気源またはピストンを用いて付勢可能である場合、更に有利であり、従って、導入された媒体の良好な分配が、フィルターセグメント内において得られる。圧縮空気源を使用する場合、付加的に、媒体の良好な混合および渦流形成が得られる。
【００２２】
それに加えて、有利には、媒体のための配量装置が設けられており、従って、予め設定された、媒体の量が、フィルターセグメント内へと導入される。
【００２３】
更に、本発明の課題は、前記された本発明によるモジュールを備える、たばこ加工産業の多重セグメントフィルター製造機械によって解決される。
【００２４】
次に、本発明を、概括的な発明の思想の限定無しに、実施例に基づいて、図に関連して例示的に説明し、その際、これらの図に、その他の点では、全てのこの明細書内において詳細には説明されていない本発明の詳細な事項の開示に関連して明確に示されている。
【発明を実施するための最良の形態】
【００２５】
以下の図において、同じ、もしくは相応する要素が、同一の参照符号でもって記号を付けられており、従って、更新された観念は、それぞれ問題にされない。
【００２６】
図１に、概略的な正面図において、多重セグメントフィルター製造機械の１つのモジュール１０が図示されている。このモジュール１０は、本発明によるフィルターセグメントの製造に適しており、これらフィルターセグメントが、他のモジュールの更に別のフィルターセグメントと共に、この多重セグメントフィルター製造機械内において、多重セグメントフィルターへと更に処理される。
【００２７】
モジュール１０内においてに、有利には、例えばセルロースアセテートのような、特別に軽い材料から成る、フィルターロッドが、フィルターマガジン１１から、取出しドラム１２を用いて取り出され、且つ、次いで、ナイフ１３を用いて、数回にわたってフィルターセグメントに切断される。引き続いて、これら切断されたフィルターセグメントは、梯陣配列ドラム１４の上で梯陣配列され、且つ、切断／送りドラム１５に対して引き渡され、この切断／送りドラム１５の上で、これら切断されたフィルターセグメントが、再度切断され、且つ送られる。次いで、これらフィルターセグメントは、これら切断されたフィルターセグメントを機能ドラム１８に対して引き渡す挿入／揺動ドラム１６に対して引き渡される。この機能ドラム１８の上で、本発明により、これらフィルターセグメントは、少なくとも１つの媒体を与えられる。これらフィルターセグメント内への物質の注入の後、これらフィルターセグメントは、移送ドラム２３に対して引き渡される。移送ドラム２１、２２を介して、付加的に、多重セグメントフィルター製造機械の他のモジュールからのフィルターセグメントが、移送ドラム２３に対して引き渡される。これらフィルターセグメントは、移送ドラム２４の上で拡開される（zugespreizt）。
【００２８】
ここで図示されていない実施形態において、フィルターロッドの取り出しの後、先ず第一に、媒体の注入がこれらフィルターロッド内へと行われ、且つ、後続のステップにおいて、これらフィルターロッドが、フィルターセグメントに切断され、従って、ある物質を与えられたこれら製造されたフィルターセグメントが、多重セグメントフィルターの製造のために使用される。
【００２９】
図２ａから２ｆまで内において、機能ドラム１８（図１を参照）の上での、方法のステップＡからＦまでに相応して、断面図において、個別のステップが概略的に図示されている。上記のことは、同様に、図３ａから３ｆまで、並びに、図４ａから４ｆまでに図示された更に別の選択的な方法経過に関しても言えることである。
【００３０】
図２ａにおいて、挿入／揺動ドラム１６から機能ドラム１８に対するフィルターセグメント１の引き渡しが図示されている。この挿入／揺動ドラム１６は、収容凹部内において吸気穿孔１７を装備しており、これら吸気穿孔を用いて、これらフィルターセグメント１が、この挿入／揺動ドラム１６の上に保持される。これらフィルターセグメント１の引き渡しの際に、相応する吸気穿孔１７内における真空状態は遮断され、従って、このフィルターセグメント１が、この機能ドラム１８の収容凹部２８に対して引き渡される。
【００３１】
機能ドラム１８は、更に、側方に、載置されたフィルターセグメント１の領域内において、穿孔３０を有する、ストッパー２９を装備している。この収容凹部２８、もしくはフィルターセグメント１から側方に、水平方向に移動可能な噴霧ノズル２が設けられている。この噴霧ノズル２は、管路４１を装備し、この管路が、ノズルヘッド４２内へと開口している。このノズルヘッド４２の直径は、基本的に、このストッパー２９の穿孔３０の直径に相応している。
【００３２】
挿入の後、このフィルターセグメント１は、固定アーム４を用いて、収容凹部２８内において、強固に囲繞される。この固定アーム４は、有利には、旋回可能に、機能ドラム１８に沿って構成されている。更に、この固定アーム４は、側方のストッパー３４を装備しており、従って、この載置されたフィルターセグメント１が、正確な位置内において固持される。
【００３３】
フィルターセグメント１を固定している間じゅう、または固定した後、噴霧ノズル２は、側方に、フィルターセグメント１に対して接近され、且つ、管路４１内において収納されている、精確に配量された、媒体３の量が、このフィルターセグメント１内へと吹き込まれる（図２ｃ）。媒体として、例えばゼオライト、活性炭、味覚物質または芳香物質、またはビタミンのような物質が適している。後続のステップ（図２ｄ）において、この噴霧ノズル２は、このフィルターセグメント１から離脱運動され、且つ、更に別のステップにおいて、このフィルターセグメント１の固定が解離される（図２ｅ）。次いで、この製造されたフィルターセグメント１は、移送ドラム２３に対して引き渡される。
【００３４】
図３ａから３ｆまでにおいて、図２ａから２ｆまでにおける方法経過に類似した、ただし噴霧ノズル２（図２ａから２ｆまで）の代わりに噴霧マンドレル５が使用されることの相違を有する、方法経過が図示されている。この噴霧マンドレル５は、管路４３および針の先端４４を装備しており、この針の先端が、フィルターセグメント１内へと、長手方向軸線に平行に挿入される。このフィルターセグメント１内への、この針の先端４４の侵入の後、媒体は、このフィルターセグメント１の内部へと導入される。本発明の領域内において、このフィルターセグメント１内における物質の均等な分配を達成するために、この噴霧マンドレル５が、同様に多数の針の先端４４を装備し、または、この針の先端４４が、更に別の（側方の）射出開口部を、この針の先端４４に沿って装備することは可能である。
【００３５】
図４ａから４ｆまでにおいて、多重フィルターセグメント７が、媒体でもって、本発明により吹き込まれているこの多重フィルターセグメント７は、外側の栓７１を装備し、これら栓の間に中空チャンバー７２が設けられている。この多重フィルターセグメント７の中空チャンバー７２は、噴霧マンドレル５を用いて、物質でもって充填される。この噴霧マンドレル５は、この場合、正確に、この噴霧マンドレルの針の先端４４でもって、この中空チャンバー７２内において位置決めされる。選択的に、類似の方法で、同様にフィルターロッドの中空チャンバーも。媒体でもって充填され得る。
【００３６】
本発明の更なる構成において、両方の側から、フィルターセグメント内へと、物質が導入される。
【図面の簡単な説明】
【００３７】
【図１】多重セグメントフィルター製造機械のモジュール正面図である。
【図２】概略的に、フィルターセグメントの注入の方法経過を図示した図である。
【図３】概略的に、フィルターセグメントの直接注入の方法経過を図示した図である。
【図４】概略的に、フィルターの中空チャンバーの注入の方法経過を図示した図である。
【符号の説明】
【００３８】
１    フィルターセグメント
２    噴霧ノズル
３    媒体
４    固定アーム
５    噴霧マンドレル
７    多重フィルターセグメント
１０  モジュール
１１  フィルターマガジン
１２  取出しドラム
１３  ナイフ
１４  梯陣配列ドラム
１５  切断／送りドラム
１６  挿入／揺動ドラム
１７  吸気穿孔
１８  機能ドラム
２１  移送ドラム
２２  移送ドラム
２３  移送ドラム
２４  移送ドラム
２８  収容凹部
２９  ストッパー
３０  穿孔
４１  管路
４２  ノズルヘッド
４３  管路
４４  針の先端
７１  栓
７２  中空チャンバー
【図１】
2005537814.tif 000003
2005537814.tif 000004
2005537814.tif 000005
2005537814.tif 000006
【国際調査報告】
2005537814.tif 000007
2005537814.tif 000008
2005537814.tif 000009
2005537814.tif 000010
2005537814.tif 000011
2005537814.tif 000012